【手続補正書】
【提出日】平成20年3月11日(2008.3.11)
【手続補正１】
【補正対象書類名】明細書
【補正対象項目名】発明の名称
【補正方法】変更
【補正の内容】
【発明の名称】通信装置および制御方法、並びにプログラム
【手続補正２】
【補正対象書類名】明細書
【補正対象項目名】特許請求の範囲
【補正方法】変更
【補正の内容】
【特許請求の範囲】
【請求項１】  通信装置において、
通信を許可する他の通信装置の識別情報を登録する登録手段と、
前記登録手段により第１の通信装置を登録するときに、既に登録済みの他の通信装置の情報を前記第１の通信装置に対して送信する第１の送信手段と、
前記第１の通信装置の登録に応答して、既に登録済みの他の通信装置に対して、前記第１の通信装置の情報を送信する第２の送信手段と、
を有することを特徴とする通信装置。
【請求項２】  請求項１において、
前記第１の送信手段は、既に登録済みの他の通信装置の識別情報を送信し、
前記第２の送信手段は、前記第１の通信装置の識別情報を送信することを特徴とする通信装置。
【請求項３】  請求項１において、
前記通信装置はＢｌｕｅｔｏｏｔｈプロトコルに基づく無線通信を行い、前記登録手段は、Ｂｌｕｅｔｏｏｔｈプロトコルに基づいて通知されるＢｌｕｅｔｏｏｔｈデバイスアドレスを登録することを特徴とする通信装置。
【請求項４】  請求項３において、
前記通信装置はＢｌｕｅｔｏｏｔｈプロトコルに基づく無線通信を行い、前記登録手段は、Ｂｌｕｅｔｏｏｔｈプロトコルに基づいて通知されたＢｌｕｅｔｏｏｔｈプロファイル種別を前記識別情報に対応させて登録することを特徴とする通信装置。
【請求項５】  請求項４において、
前記第１の送信手段は、既に登録済みの他の通信装置の識別情報とＢｌｕｅｔｏｏｔｈプロファイル種別を送信し、
前記第２の送信手段は、前記第１の通信装置の識別情報とＢｌｕｅｔｏｏｔｈプロファイル種別を送信することを特徴とする通信装置。
【請求項６】  請求項１において、
前記通信装置はＢｌｕｅｔｏｏｔｈプロトコルに基づく無線通信を行い、
前記登録手段により情報が登録されている他の通信装置とデータ通信を行う際には、Ｂｌｕｅｔｏｏｔｈプロトコルに基づくＰａｇｅを送信することにより接続を開始し、
前記登録手段により情報が登録されていない他の通信装置とデータ通信を行う際には、Ｂｌｕｅｔｏｏｔｈプロトコルに基づくＩｎｑｕｉｒｙを送信することにより接続を開始することを特徴とする通信装置。
【請求項７】  通信装置において、
他の通信装置の情報を登録する登録手段と、
前記他の通信装置に対して、所定のメッセージを送信する送信手段と、
前記所定のメッセージに対する応答メッセージを受信する受信手段と、
前記応答メッセージを送信した通信装置の情報が前記登録手段により既に登録されているか否かを判別する判別手段と、
前記判別手段による判別結果に基づいて、前記応答メッセージを送信した通信装置の情報を表示する表示手段と、
を有することを特徴とする通信装置。
【請求項８】  請求項７において
前記表示手段は、前記登録手段により登録されていない通信装置の情報を表示し、前記登録手段により登録済みの通信装置の情報を表示しないことを特徴とする通信装置。
【請求項９】  請求項７において、
前記登録手段により他の通信装置を登録するための登録モードを選択するための選択手段を有し、
前記選択手段により前記登録モードが選択されている場合には、前記表示手段は前記登録手段により登録されていない通信装置の情報を表示し、前記登録モードが選択されていない場合には、前記表示手段は前記登録手段により登録済みの通信装置の情報を表示することを特徴とする通信装置。
【請求項１０】  請求項７において、
前記表示手段による表示に基づいて、操作者が特定の通信装置を選択すると、該選択された通信装置に対して自通信装置を登録するよう要求する要求手段を有することを特徴とする通信装置。
【請求項１１】  請求項１０において、
前記登録手段は、前記選択された通信装置の情報を登録することを特徴とする通信装置。
【請求項１２】  通信装置の制御方法において、
通信を許可する他の通信装置の識別情報を登録する登録工程と、
前記登録工程において第１の通信装置を登録するときに、既に登録済みの他の通信装置の情報を前記第１の通信装置に対して送信する第１の送信工程と、
前記第１の通信装置の登録に応答して、既に登録済みの他の通信装置に対して、前記第１の通信装置の情報を送信する第２の送信工程と、
を有することを特徴とする制御方法。
【請求項１３】  通信装置の制御方法において、
他の通信装置の情報を登録する登録工程と、
前記他の通信装置に対して、所定のメッセージを送信する送信工程と、
前記所定のメッセージに対する応答メッセージを受信する受信工程と、
前記応答メッセージを送信した通信装置の情報が前記登録工程において既に登録されているか否かを判別する判別工程と、
前記判別工程における判別結果に基づいて、前記応答メッセージを送信した通信装置の情報を表示部に表示させる表示工程と、
を有することを特徴とする制御方法。
【請求項１４】  請求項１２又は１３記載の制御方法をコンピュータに実行させるためのプログラム。
【手続補正３】
【補正対象書類名】明細書
【補正対象項目名】０００１
【補正方法】変更
【補正の内容】
【０００１】
【発明の属する技術分野】
本発明は、通信装置および制御方法、並びにプログラムに関するものである。
【手続補正４】
【補正対象書類名】明細書
【補正対象項目名】００１０
【補正方法】変更
【補正の内容】
【００１０】
本発明においては、Ｂｌｕｅｔｏｏｔｈ等における装置の登録を簡単に行えるようにすることを目的とする。
【手続補正５】
【補正対象書類名】明細書
【補正対象項目名】００１４
【補正方法】変更
【補正の内容】
【００１４】
【課題を解決するための手段】
上記課題を解決するために、本発明は、通信装置において、
通信を許可する他の通信装置の識別情報を登録する登録手段と、
前記登録手段により第１の通信装置を登録するときに、既に登録済みの他の通信装置の情報を前記第１の通信装置に対して送信する第１の送信手段と、
前記第１の通信装置の登録に応答して、既に登録済みの他の通信装置に対して、前記第１の通信装置の情報を送信する第２の送信手段と、
を有することを特徴とする。
【手続補正６】
【補正対象書類名】明細書
【補正対象項目名】００１５
【補正方法】変更
【補正の内容】
【００１５】
また、本発明は、通信装置において、
他の通信装置の情報を登録する登録手段と、
前記他の通信装置に対して、所定のメッセージを送信する送信手段と、
前記所定のメッセージに対する応答メッセージを受信する受信手段と、
前記応答メッセージを送信した通信装置の情報が前記登録手段により既に登録されているか否かを判別する判別手段と、
前記判別手段による判別結果に基づいて、前記応答メッセージを送信した通信装置の情報を表示する表示手段と、
を有することを特徴とする。
【手続補正７】
【補正対象書類名】明細書
【補正対象項目名】００１６
【補正方法】変更
【補正の内容】
【００１６】
また。本発明は、通信装置の制御方法において、
通信を許可する他の通信装置の識別情報を登録する登録工程と、
前記登録工程において第１の通信装置を登録するときに、既に登録済みの他の通信装置の情報を前記第１の通信装置に対して送信する第１の送信工程と、
前記第１の通信装置の登録に応答して、既に登録済みの他の通信装置に対して、前記第１の通信装置の情報を送信する第２の送信工程と、
を有することを特徴とする。
【手続補正８】
【補正対象書類名】明細書
【補正対象項目名】００１７
【補正方法】変更
【補正の内容】
【００１７】
また。本発明は、通信装置の制御方法において、
他の通信装置の情報を登録する登録工程と、
前記他の通信装置に対して、所定のメッセージを送信する送信工程と、
前記所定のメッセージに対する応答メッセージを受信する受信工程と、
前記応答メッセージを送信した通信装置の情報が前記登録工程において既に登録されているか否かを判別する判別工程段と、
前記判別工程における判別結果に基づいて、前記応答メッセージを送信した通信装置の情報を表示部に表示させる表示工程と、
を有することを特徴とする。
【手続補正９】
【補正対象書類名】明細書
【補正対象項目名】００１８
【補正方法】削除
【補正の内容】
【手続補正１０】
【補正対象書類名】明細書
【補正対象項目名】００９７
【補正方法】変更
【補正の内容】
【００９７】
以上のように上記各実施形態によれば、Ｂｌｕｅｔｏｏｔｈ等における装置の登録を簡単に行える。
【手続補正１１】
【補正対象書類名】明細書
【補正対象項目名】０１００
【補正方法】変更
【補正の内容】
【０１００】
また、ｎ：ｎ型の通信システムにおける様々な問題を解決することができる。
【発明の効果】
以上のように、本発明によれば、登録処理を行っている通信装置間以外の通信装置の登録も簡単に行え、さらに、操作者が各装置に登録処理を行う必要もなくなり、登録間違いを防止することができる。また、登録する通信装置の選択を簡単に行えるので、登録相手の指定間違いを防止することができ、さらに、登録されている通信装置と通信する場合に、通信相手の指定間違いも防止することができる。